(57)【要約】【課題】  使用後の清掃部材を手でさわることなく簡単に廃棄することができ、柄が長くても容易に清掃部材を取外せて、流通過程および家庭内で流通や持ち運びさらには保管が容易な柄付き清掃具を提供する。【解決手段】  柄付き清掃具１１であって、柄部１２は先端側１２Ｆと後端側１２Ｒが接続部１６を介して結合・分離可能であり、この柄部１２の先端側１２Ｆに装着部１４内で進退動することによって装着部１４に装着された清掃部材１３を装着部１４から外す外し部１７を設け、この柄部１２の後端側１２Ｒに使用者の操作によって把持部１５の軸方向に沿って動作する操作部１８を設け、前記操作部１８の動作を外し部１７に伝達する動作伝達部材１９を柄部１２内に設け、この動作伝達部材１９は、前記接続部１６を介して柄部１２が先端側１２Ｆと後端側１２Ｒに分離したときに、先端側１２Ｆと後端側１２Ｒに分離する。【選択図】図１
0003105217.tif 000002
【実用新案登録請求の範囲】
【請求項１】
中空棒状の柄部と、この柄部の先端側に設けられ水解性の清掃部材を装着する装着部と、該柄部の後端側に設けられ使用者が把持し清掃部材を対象物に摺接させる操作を行うための把持部とを有する柄付き清掃具であって、
柄部は先端側と後端側が接続部を介して結合・分離可能であって、
この柄部の先端側に装着部内で進退動することによって装着部に装着された清掃部材を装着部から外す外し部を設け、
この柄部の後端側に使用者の操作によって把持部の軸方向に沿って動作する操作部を設け、
前記操作部の動作を外し部に伝達する動作伝達部材を柄部内に設け、この動作伝達部材は、前記接続部を介して柄部が先端側と後端側に分離したときに、先端側と後端側に分離するものであることを特徴とする柄付き清掃具。
【請求項２】
柄部は、先端側が曲げられており、装着部の軸方向と把持部の軸方向との間に角度が付けられていることを特徴とする請求項１に記載の柄付き清掃具。
【請求項３】
操作部は、把持部の前側に設けられ、かつこの操作部の最大外径の部分が把持部の最大外径の部分よりもその径方向に大きいものであって、使用者が把持部を把持した状態で指が前記操作部の最大外径部分に掛かって操作可能になっていることを特徴とする請求項１に記載の柄付き清掃具。
【請求項４】
柄部は、先端側の接続端部と後端側の接続端部とからなる接続部によって接続されるものであり、この柄部の先端側および後端側のうちの一方の接続端部が径方向外側に突出する突起のある接続部分が柄部の軸方向に沿って延びるものであると共に、この柄部の先端側および後端側のうちの他方の接続端部の内側に前記突起に対応した溝が形成されており、一方の接続端部が他方の接続端部内に嵌入し、前記溝に前記突起が嵌着することによって、接続部の各接続端部同士が接続することを特徴とする請求項１に記載の柄付き清掃具。
【請求項５】
操作部の内側には、その操作部を前記動作伝達部材に繋げる連結部材が設けられ、中空棒状の柄部の後端側にこの連結部材を通す長穴形状を呈する挿通孔が外周面から内周面に渡って貫通して形成されており、この挿通孔を前記他方の接続端部の溝に兼用することを特徴とする請求項４に記載の柄付き清掃具。
【請求項６】
装着部はその先端側の開放した中空の筒状を呈し、清掃部材は概略柱状を呈して装着部の先端側から内部に嵌入可能に形成されていることを特徴とする請求項１に記載の柄付き清掃具。
【請求項７】
動作伝達部材は、装着部もしくはその近傍の柄部の内部に設けられた弾性部材により後方方向に付勢されていることを特徴とする請求項１または５に記載の柄付き清掃具。
【請求項８】
清掃部材は、一端部が紐状体の束ねられた形状を呈しかつ他端部が柱状を呈すると共に、この他端部側から装着部内に挿入して一端部を装着部の先方外部に露出するものであり、装着部に装着された清掃部材は、その使用時に一端部の複数の紐状体同士が離れてブラシ状を呈することを特徴とする請求項１または６に記載の柄付き清掃具。
【請求項９】
未使用の清掃部材を収容する収容容器は、一端が開放する筒状を呈しかつその開放側を清掃部材の未使用時には蓋部材で閉じた容器であって、清掃部材の他端部を収容容器の開放側に向けて収容するものであることを特徴とする請求項８に記載の柄付き清掃具。
【考案の詳細な説明】
【技術分野】
【０００１】
本発明は、トイレ（手洗い）、厨房、その他の清潔さが要求される水使用場所において、水によって溶解する紙またはシートからなる清掃部材を柄部の先端側の装着部に装着して柄部の後端側の把持部を把持し（握り）この清掃部材によって汚れをふき取り、汚れをふき取った後は清掃部材を排水と一緒に流して処分できる柄付き清掃具に関する。
【背景技術】
【０００２】
従来から、トイレ、厨房、その他の清潔さが要求される水使用場所、特にトイレにおける清掃具（「清掃用品」若しくは「清掃用具」とも称する）として、柄の先端部にたわし（タワシ）若しくはスポンジの固定された柄付きたわし若しくは柄付きスポンジが一般に用いられている。
【０００３】
ユーザは、これら柄付きの清掃具を用いてトイレの便器内面を清掃作業した後に、洗浄、水切り、乾燥、そして保管を行って、次の使用機会に備えるものである。
【０００４】
しかるに、洗浄、水切り、乾燥、保管の場所は同じトイレ内であるため、衛生的に不十分になり易く、また、これらの清掃具を専用の容器に収容するものがあるが、その容器の清掃が必要になり、清掃に手間がかかるという問題があった。
【０００５】
このような問題を解決するため、水解性材料からなる清掃部材を利用した使い捨て式の清掃具が提案されている（特許文献１、特許文献２、特許文献３参照）。
【０００６】
特許文献１は、水解性紙と水解性のりにより棒状、ヘラ状などに成形した水溶性タワシからなる清掃具に関する技術を開示するものである。また、特許文献２は、木製パルプを原料として水解性バインダによって製紙してはたき状に成形したものであって、使用後はトイレ便器内に廃棄して処理できるようにした全水洗使い捨てトイレ用掃除ブラシからなる清掃具を開示するものである。また、特許文献３は、水解性材料を立体状に成形したブラシ部を、柄の先端の取付部に着脱可能に取り付けた清掃具を開示するものである。
【０００７】
しかしながら、上述した清掃具は、以下に示す問題点があった。例えば、特許文献１、特許文献２に開示されている清掃用具は、水解性材料を基に棒状ならびにはたき形状等の所定形状に形成され、トイレ便器内の清掃対象となる箇所に合わせて使用するようになっている。しかるに、各々の形状の清掃用具によって清掃すると、水解した時点でその形状が破壊され、さらに剛性が落ちてしまい、様々な形状に加工した効果が失われていた。また、上述した清掃具は、それ自体が水解性材料からなるものであるので、前記清掃具が清掃中に水解することによって、手に水が付着してしまうおそれもあった。
【０００８】
また、特許文献３に開示されている清掃具は、水解性材料を凹凸の多い複雑な立体形状に成形した清掃部材を取付部の先端に差し込んで使用するものであるが、一般的に立体状に作製するには水解性材料および水解性バインダを打錠用金型に均一に入れ、一定圧力下で打錠後乾燥しなければならず、製造方法が複雑であるばかりかコスト高となっていた。また、前記ブラシ部の幅のある平面部にて汚れを擦り落とすため、便器の細部の清掃が困難であった。さらには、清掃部材を保持椀から取外す際には、柄部を片手で持ち、他の片手で把手を押して保持椀内に強固に係止された清掃部材を押し出して、使用後の清掃部材を便器内に排出するが、両手を用いなければ清掃部材を取外しできない不便さがあった。
【０００９】
また、特許文献３以外の清掃具では、図１１に示す構成によって、使用時に水解性材料からなる清掃具または清掃部材が清掃中に水解することに起因して手に水が付着するのを防止し、しかも使用後の清掃部材を手でさわることなく便器内に廃棄することができるようにした清掃具が提案されている（特許文献４、特許文献５参照）。
【００１０】
図１１に示すように、この清掃具は、棒状の柄部の先端に水解性の清掃部材を装着する装着部８が柄７と一体成形された本体１と、前記本体１の先端部側に、本体に沿ってスライド移動可能に装着された筒状の固着部材２とを備えてなる清掃具１０である。前記固着部材２の前部には、固着部材２の前方スライド位置において、清掃部材３を本体１と固着部材２との間で挟持する挟持部６が形成されるとともに、前記固着部材２の挟持部６よりも後部には、固着部材２の最前方スライド位置において、前記清掃部材３を押し出す排出片４が形成されてなるものである。また、前記装着部８の先端には、少なくとも二股以上に分岐された清掃部材用巻付片（図示略）が形成されている。
【特許文献１】実開平２−１３４８４号公報およびその全文明細書
【特許文献２】特開昭６２−１８６８３３号公報
【特許文献３】実開昭６０−１９１２９６号公報およびその全文明細書
【特許文献４】特開平０８−０８４６８９号公報
【特許文献５】特開平０８−０８４６９０号公報
【考案の開示】
【考案が解決しようとする課題】
【００１１】
しかしながら、前述のような清掃具１０においては、固着部材２や装着部８に不注意等により汚水等がかかり固着部材２と装着部８との隙間に汚水等が入り込んだ場合には、使用後の洗浄の際、固着部材２を装着部８から外す作業が面倒であり、また、固着部材２を装着部８から外さないで洗浄する場合、その構造上、洗浄し難く、固着部材２と装着部８との間に汚れが残る場合があり衛生面で不満があった。
【００１２】
また、便器の隅々にまで清掃部材３を押し当て摺接させ、清掃するには本体１の柄７の長さを長くする必要がある。
【００１３】
しかしながら、上記の清掃具の柄を単に延ばしたのでは、この清掃具によって清掃後に挟持部６から清掃部材３を取外す際に、排出片４を操作するのは、長い柄の後端部を片手で持ち、他の手で柄先端部の排出片４を操作するという両手を使った面倒な操作が必要になるという問題点がある。
【００１４】
また、排出片４は挟持部６の付近に設けられているため、上述のように固着部材２や装着部８に不注意等により汚水等がかかり固着部材２と装着部８との隙間に汚水等が入り込んだ場合、固着部材２と装着部８を清掃するとしてもその清掃の前に排出片４を操作して清掃部材３を取外さなければならないという、衛生的に不満の残る操作をしなければならないという問題点がある。
【００１５】
また、本体１の柄７が長く全体に長い清掃具であると、当然収容スペースが取られトイレ内などでは邪魔になるため保管場所に困る問題点がある。
【００１６】
また、清掃具商品の販売・流通において場所を取られて扱い難く、しかも主婦などのユーザがその清掃具を購入後に持ち帰ろうとして自転車の買い物籠に入れようとしても収まりきらず、取り扱い難くひいては購入意欲を削ぐ等の問題点が生じる。
【００１７】
本考案は、上記の様々な事情に鑑みてなされたものであって、清掃部材の取り付けおよび取り外しが簡単で、使用後の清掃部材を手でさわることなく簡単に廃棄することができ、しかも、柄が長くても容易に清掃部材を取外せて、流通過程および家庭内で流通や持ち運びさらには保管が容易な柄付き清掃具を提供することを目的としている。
【課題を解決するための手段】
【００１８】
本考案は、柄付き清掃具に係るものであり、次の構成を有する。
【００１９】
本考案は、中空棒状の柄部と、この柄部の先端側に設けられ水解性の清掃部材を装着する装着部と、該柄部の後端側に設けられ使用者が把持し清掃部材を対象物に摺接させる操作を行うための把持部とを有する柄付き清掃具であって、柄部は先端側と後端側が接続部を介して結合・分離可能であって、この柄部の先端側に装着部内で進退動することによって装着部に装着された清掃部材を装着部から外す外し部を設け、この柄部の後端側に使用者の操作によって把持部の軸方向に沿って動作する操作部を設け、前記操作部の動作を外し部に伝達する動作伝達部材を柄部内に設け、この動作伝達部材は、前記接続部を介して柄部が先端側と後端側に分離したときに、先端側と後端側に分離するものであることを特徴とする柄付き清掃具である。
【００２０】
本考案においては、柄部は、先端側部分で曲げられており、装着部の軸方向と把持部の軸方向との間に角度が付けられていることが好適である。
【００２１】
本考案においては、操作部は、把持部の前側に設けられ、かつこの操作部の最大外径の部分が把持部の最大外径の部分よりもその径方向に大きいものであって、使用者が把持部を把持した状態で指が前記操作部の最大外径部分に掛かって操作可能になっていることが好適である。
【００２２】
本考案においては、柄部は、先端側の接続端部と後端側の接続端部とからなる接続部によって接続されるものであり、この柄部の先端側および後端側のうちの一方の接続端部が径方向外側に突出する突起のある接続部分が柄部の軸方向に沿って延びるものであると共に、この柄部の先端側および後端側のうちの他方の接続端部の内側に前記突起に対応した溝が形成されており、一方の接続端部が他方の接続端部内に嵌入し、前記溝に前記突起が嵌着することによって、接続部の各接続端部同士が接続することが好適である。
【００２３】
本考案においては、操作部の内側には、その操作部を前記動作伝達部材に繋げる連結部材が設けられ、中空棒状の柄部の後端側にこの連結部材を通す長穴形状を呈する挿通孔が外周面から内周面に渡って貫通して形成されており、この挿通孔を前記他方の接続端部の溝に兼用することが好適である。
【００２４】
本考案においては、装着部はその先端側の開放した中空の筒状を呈し、清掃部材は概略柱状を呈して装着部の先端側から内部に嵌入可能に形成されていることが好適である。
【００２５】
本考案においては、動作伝達部材は、装着部もしくはその近傍の柄部の内部に設けられた弾性部材により後方方向に付勢されていることが好適である。
【００２６】
本考案においては、清掃部材は、一端部が紐状体の束ねられた形状を呈しかつ他端部が柱状を呈すると共に、この他端部側から装着部内に挿入して一端部を装着部の先方外部に露出するものであり、装着部に装着された清掃部材は、その使用時に一端部の複数の紐状体同士が離れてブラシ状を呈することが好適である。
【００２７】
本考案においては、未使用の清掃部材を収容する収容容器は、一端が開放する筒状を呈しかつその開放側を清掃部材の未使用時には蓋部材で閉じた容器であって、清掃部材の他端部を収容容器の開放側に向けて収容するものであることが好適である。
【考案の効果】
【００２８】
本考案の柄付き清掃具によれば、次のような優れた効果を奏し得る。
【００２９】
本考案の柄付き清掃具によれば、柄部の先端側に装着部内で進退動することによって装着部に装着された清掃部材を装着部から外す外し部を設け、この柄部の後端側に使用者の操作によって把持部の軸方向に沿って動作する操作部を設け、前記操作部の動作を外し部に伝達する動作伝達部材を柄部内に設けているので、清掃部材の装着部からの取り外しが操作部の操作によって、使用後の清掃部材を手で触ることなく簡単に行うことができる。しかも、柄部の後端側の操作部を操作することによって長い柄部であっても片手かつ容易に装着部から清掃部材を取外すことができる。
【００３０】
また、柄部は先端側と後端側が接続部を介して結合・分離可能であり、動作伝達部材は、前記接続部を介して柄部が先端側と後端側に分離したときに、先端側と後端側に分離するものであるので、柄部が長くても流通過程および家庭内では、先端側と後端側に分離して取り扱いおよび収納ができ、流通や持ち運び、さらには保管容易な柄付き清掃具を提供できる等の優れた効果を奏する。
【００３１】
また、本考案において、柄部は、先端側部分で曲げられており、装着部の軸方向と把持部の軸方向との間に角度がつけられていることができ、これにより、対象物の奥まったところ等なかなか清掃部材のとどきにくい箇所で容易に清掃できる。
【００３２】
また、本考案において、操作部は、把持部の前側に設けられ、かつこの操作部の最大外径の部分が把持部の最大外径の部分よりもその径方向に大きいものであって、使用者が把持部を把持した状態で指が前記操作部の最大外径部分に掛かって操作可能になっていることができ、これにより、使用者は把持部を持っている状態で把持部の最大径の部分よりも最大径の部分がその径方向に大きい操作部に容易に指が掛かり易く、操作が極めて容易であり操作性が高い。
【００３３】
また、本考案において、柄部は、先端側の接続端部と後端側の接続端部とからなる接続部によって接続されるものであり、この柄部の先端側および後端側のうちの一方の接続端部から径方向外側に突出する突起のある接続部分が柄部の軸方向に沿って延びると共に、この柄部の先端側および後端側のうちの他方の接続端部の内側に前記突起に対応した溝が形成されており、一方の接続端部が他方の接続端部内に嵌入し、前記溝に前記突起が嵌着することによって、接続部の各接続端部同士が接続することができ、これにより、突起が溝に嵌着して緊密に各接続端部同士が接続できる。
【００３４】
また、本考案において、操作部の内側には、その操作部を前記動作伝達部材に繋げる連結部材が設けられ、中空棒状の柄部の後端側にこの連結部材を通す長穴形状を呈する挿通孔が外周面から内周面に渡って貫通して形成されており、この挿通孔を前記他方の接続端部の溝に兼用することができる。これによって、溝を挿通孔に兼用でき、製作工程が容易になる。
【００３５】
また、本考案において、装着部はその先端側の開放した中空の筒状を呈し、清掃部材は概略柱状を呈して装着部の先端側から内部に嵌入可能に形成されていることができる。これにより、概略柱状の清掃部材は装着部に差し込みやすく、取り扱いが容易である。
【００３６】
また、本考案において、動作伝達部材は、装着部もしくはその近傍内部に設けられた弾性部材により後方方向に付勢されていることができる。これにより、使用者が操作部を押し操作しているときに後方に向けて操作部には弾性部材によって付勢力が加わるため、押し操作のあとは自動的に操作部が戻り、使いやすく、便利である。
【００３７】
また、本考案において、清掃部材は、一端部が紐状体の束ねられた形状を呈しかつ他端部が柱状を呈すると共に、この他端部側から装着部内に挿入して一端部を装着部先方外部に露出するものであり、装着部に装着された清掃部材が使用時に一端部の複数の紐状体同士が離れてブラシ状を呈することができ、これにより、清掃時にブラシ状になった清掃部材によって広範にかつ効率良く対象物の汚れを落とすことができる。
【００３８】
また、本考案において、未使用の清掃部材を収容する収容容器は、一端が開放する筒状を呈しかつその開放側を清掃部材の未使用時には蓋部材で閉じた容器であって、清掃部材の他端部を収容容器の開放側に向けて収容するものであることができる。これによって、清掃部材の収容された未使用の収容容器の蓋部材を開け、その収容容器内に入ったままの清掃部材を装着部の開放された先端側から装着部内部に挿入して嵌入させることができる。したがって、使用者は、清掃部材に手を触れることなく、装着部に簡単かつ清潔に清掃部材を装着することができる。また、清掃部材は、清掃用の洗剤、清浄剤、若しくは薬剤を含浸させたものを使用しても手を触れることなく柄付き清掃具の装着部に装着することができ、きわめて使い勝手がよい。
【考案を実施するための最良の形態】
【００３９】
以下、本考案の実施の形態を添付図面を参照して説明する。
【００４０】
図１〜図１０は本考案を実施する最良の形態の一例であって、図中、同一の符号を付した部分は技術思想上の同一物を表わすものとする。また、以下の説明において、考案の説明を理解しやすくため、適宜にタイトルを付けるものとする。
【００４１】
〔柄付き清掃具の全体構成〕
図１〜図６に示すように、実施形態に係る柄付き清掃具１１は、中空棒状の柄部１２と、この柄部１２の先端側１２Ｆに設けられ水解性の清掃部材１３を装着する装着部１４と、該柄部１２の後端側１２Ｒに設けられ使用者が把持し清掃部材１３を対象物に摺接させる操作を行うための把持部１５とを有するものであって、柄部１２は先端側１２Ｆと後端側１２Ｒが接続部１６を介して結合・分離可能であって、この柄部１２の先端側１２Ｆに装着部１４内で進退動することによって装着部１４に装着された清掃部材１３を装着部１４から外す外し部１７を設け、この柄部１２の後端側１２Ｒに使用者の操作によって把持部１５の軸方向に沿って動作する操作部１８を設け、前記操作部１８の動作を外し部１７に伝達する動作伝達部材１９を柄部１２内に設け、この動作伝達部材１９は、前記接続部１６を介して柄部１２が先端側１２Ｆと後端側１２Ｒに分離したときに、先端側１２Ｆと後端側１２Ｒに分離することを特徴とするものである。
【００４２】
〔柄部１２の曲げ〕
柄部１２は、先端側１２Ｆが曲げられており、装着部１４の中心軸方向と把持部１５の中心軸方向との間に角度が付けられている（図１、図２、図４、図５参照）。
【００４３】
実施形態では、柄部１２の先端側１２Ｆ部分における装着部１４に隣接する部分で曲げられた曲がり部１２Ｆ１を形成している。
【００４４】
また、曲がり部１２Ｆ１の前記各軸方向との間の角度は、清掃対象箇所３１によって適宜に選択でき、好ましくは１８０度から４５度さらに好ましくは１３５度から９０度の間の角度に形成する。特に、トイレの便器の奥まった箇所の清掃に用いるときに角度９０度程度の曲がり部が好ましい。
【００４５】
〔操作部１８〕
操作部１８は、把持部１５の前側に設けられ、かつこの操作部１８の最大外径の部分が把持部１５の最大外径の部分よりもその径方向に大きいものであって、使用者が把持部１５を把持した状態で指が前記操作部１８の最大外径部分に掛かって操作可能になっている。
【００４６】
実施形態では、把持部１５はやや中膨らみの握りやすい棒状に形成され、後端部に孔２０が設けられており、後述する図１０の（ｃ）に示すように、保管の際にこの孔２０に適宜の箇所の掛け止め体を通して、柄付き清掃具１１を掛け止めて保管する。
【００４７】
また、操作部１８は、把持部１５の前側に位置する柄部１２の後端側１２Ｒの円柱形状に形成された部分にスライド可能に外嵌めされている（図６（ｂ）参照）。また、操作部１８は、その前部１８Ｆを最大外径とし、その後部１８Ｒを把持部１５外径と同径もしくはそれよりも大径に形成することが指の掛けやすさから好ましい。また、操作部１８は、後部１８Ｒ外径よりも前部１８Ｆ外径が大径に形成され、概略円錐台形形状を呈して前方に操作する指が掛け易くなっている。
【００４８】
〔柄部１２の接続部１６〕
柄部１２は、先端側１２Ｆの接続端部１６Ｆと後端側１２Ｒの接続端部１６Ｒとからなる接続部１６によって接続されるものであり、この柄部１２の先端側１２Ｆおよび後端側１２Ｒのうちの一方の接続端部が径方向外側に突出する突起２１のある接続部分２２が柄部１２の軸方向に沿って延びるものであると共に、この柄部１２の先端側１２Ｆおよび後端側１２Ｒのうちの他方の接続端部の内側に前記突起２１に対応した溝２３が形成されており、一方の接続端部が他方の接続端部内に嵌入し、前記溝２３に前記突起２１が嵌着することによって、接続部１６の各接続端部１６Ｆ、１６Ｒ同士が接続するものである（図２、図６参照）。
【００４９】
実施形態では、柄部１２の先端側１２Ｆの接続端部１６Ｆは、柄部１２の外径よりも小径に形成された中空筒状の接続部分２２が軸方向に沿って後方に延びるものであって、この接続部分２２にはその延びた中空筒状の接続部分２２の開放した先端部に周囲が切欠き２２ａで挟まれて他よりやや先方（柄部１２の後端側１２Ｒ方向）に延びる板状片部２２ｂが形成される。そして、この板状片部２２ｂの先端部に径方向外側に突出する前記突起２１が形成される。
【００５０】
また、柄部１２の後端側１２Ｒの接続端部１６Ｒは、内周が断面円形に形成されており、前記先端側１２Ｆの接続端部１６Ｆの後方に延びた接続部分２２が嵌入するようになっている。先端側１２Ｆの接続端部１６Ｆの接続部分２２の外径は、後端側１２Ｒの接続端部１６Ｒの内径とほぼ一致もしくはそれよりも小径に形成されている。
【００５１】
なお、前記柄部１２の先端側１２Ｆの接続端部１６Ｆ外周には突出部２４が形成され、後端側１２Ｒの接続端部１６Ｒ先端外周には、この突出部２４が嵌入する切欠き部２５が形成されており、この突出部２４が切欠き部２５に嵌り込んで接続端部１６Ｆ，１６Ｒ同士が相対的に回ることを制止する周り止め構造になっている。
【００５２】
また、実施形態では柄部１２の先端側１２Ｆおよび後端側１２Ｒのうちの一方の接続端部が先端側１２Ｆの接続端部１６Ｆとなり、他方の接続端部を後端側１２Ｒの接続端部１６Ｒとなっているが、この一方と他方の接続端部は、本考案の効果が得られればその逆にすることができる。
【００５３】
また、接続端部同士を接続する接続部１６は、柄部１２に複数設けても良いものである。すなわち，柄部１２を２以上の接続部１６を介して、結合・分離可能とすることができる。
【００５４】
〔動作伝達部材１９と操作部１８および動作伝達部材１９の連結部材２６〕
操作部１８の内側には、その操作部１８を前記動作伝達部材１９に繋げる連結部材２６が設けられ、中空棒状の柄部１２の後端側１２Ｒにこの連結部材２６を通す長穴形状を呈する挿通孔２７が外周面から内周面に渡って貫通して形成されており、この挿通孔２７を前記他方の接続端部の溝２３に兼用するものである。
【００５５】
動作伝達部材１９は、中空棒状の柄部１２の内部で進退動が可能に構成された板状または棒状の部材であって、装着部１４の外し部１７を押し圧して装着部１４内の外し部１７によって清掃部材１３を装着部１４から外せるものであれば一体または複数部材が連結されたもののいずれであっても良い。また、柄部１２の先端側１２Ｆでは、動作伝達部材１９Ｆは、曲がり部１２Ｆ１に対応して撓むことが可能な部材で形成されていることが望まれる。また、接続部１６付近では、動作伝達部材１９は分割されており、この動作伝達部材１９の分割部分では、操作部１８により押出操作による押し圧力と弾性部材２８による戻し力が互いに無駄なく伝達できる構造であれば、どのような構造であっても良い。実施形態では、柄部１２の先端側１２Ｆに内挿（内装）される動作伝達部材１９Ｆは、後端面が平坦であって、柄部１２の後端側１２Ｒに内挿される動作伝達部材１９Ｒは、先端部が板状であり、柄部１２の先端側１２Ｆの内部には後端側１２Ｒの動作伝達部材１９の先端部が径方向に踊るのを防止してその先端部が、先端側の動作伝達部材１９Ｆの後端面から逃げないようにするガイド構造が形成されている。
【００５６】
前記挿通孔２７は、軸方向に沿った長穴形状を呈するものであって、清掃部材１３が確実に装着部１４から取り外せるように操作部１８に所望される操作ストロークの長さよりも長い長軸の長穴形状になっている。
【００５７】
実施形態では、上記の連結部材２６は、前記操作部１８の内周部に内向きに突出するカップ状の内突起が前記挿通孔２７を通り、柄部１２の後端側１２Ｒに内挿される動作伝達部材１９の外周の外向きに突出する外突起が内突起の先端部から嵌り込んで互いに嵌め合い構造で結合しているものである。
【００５８】
〔装着部１４〕
装着部１４はその先端側の開放した中空の筒状を呈し、清掃部材１３は概略柱状を呈して装着部１４の先端側から内部に嵌入可能に形成されている。
【００５９】
実施形態では、特に、図４〜図６に示すように、装着部１４は内周が同径の筒状であって、その筒状内部の底部に円盤状の外し部１７が設けられている。この外し部は、装着部１４の内部で進退動可能に設けられ、前進動するときに清掃部材１３を押し出して装着部１４から外すようになっている。
【００６０】
また、装着部１４の外周部には、周上にリング状の突起部１４ａが設けられており、この突起部１４ａは清掃時などに装着部１４の外周面を持つときに手がかりとなって、取り扱いを容易にできる。
【００６１】
〔弾性部材２８による動作伝達部材１９の後方への付勢〕
動作伝達部材１９は、装着部１４もしくはその近傍内部に設けられた弾性部材２８により後方方向に付勢されている。
【００６２】
実施形態では、図６に示すように、装着部１４内部に内周に突出する突起部１４ｂが設けられており、この突起部１４ｂにコイル巻形状の金属性スプリングからなる弾性部材２８の一端が当接して係止する。これにより、弾性部材２８は先方外部への移動が規制されており、また、この弾性部材２８の他端が動作伝達部材１９の径方向に展開した掛けとめ部１９ａに当接して、この動作伝達部材１９を後方に向けて弾性部材２８によって付勢するようになっている。
【００６３】
〔清掃部材１３〕
清掃部材１３は、図３、図５に示すように、一端部１３ａが紐状体の束ねられた形状を呈しかつ他端部１３ｂが柱状を呈すると共に、この他端部１３ｂ側から装着部１４内に挿入して一端部１３ａを装着部１４先方外部に露出するものであり、装着部１４に装着された清掃部材１３が使用時に一端部１３ａの複数の紐状体同士が離れてブラシ状を呈する。
【００６４】
実施形態では、図７に示すように、清掃部材１３は、紙・パルプ・水溶性の樹脂などの水解性の素材によって帯状のシートを形成し、その帯状のシートの幅方向の一側に溝を入れて円柱状に巻き上げてバインダもしくは適宜の水溶性の接着剤で固めたものである。
【００６５】
清掃部材１３の一端部１３ａに溝をいれた部分が位置するようにし他端部１３ｂは外側から溝の無い水溶性のシートで包んで補強している。
【００６６】
なお、清掃部材１３は、主に一端部１３ａに清掃用の洗剤を含浸させて清掃の一層の容易化を図っている。
【００６７】
〔清掃部材１３の収容容器２９〕
未使用の清掃部材１３を収容する収容容器２９は、一端が開放する筒状を呈しかつその開放側を清掃部材１３の未使用時には蓋部材３０で閉じた容器であって、清掃部材１３の他端部１３ｂを収容容器２９の開放側に向けて収容するものである。
【００６８】
実施形態では、図７に示すように、収容容器２９は、プラスチックなどの樹脂製を型成形した上部が開放する筒状を呈して、内部に清掃部材１３の他端部１３ｂが上向きになるように収容するようになっている。そして、清掃部材１３を収容した状態で、上部の開放側をアルミニウム等の金属と樹脂を積層したシール状の蓋部材３０を接着して封鎖したものである。
【００６９】
収容容器２９は、その内径が開放側である上部（一端側部）２９ａが下部（他端側部）２９ｂよりも太径に形成されている。収容容器２９の上部は、装着部１４が容易に入り込める程度の内径に、また、下部は清掃部材１３が踊ったり横倒しになるのを防止する程度の内径に形成されている。
【００７０】
清掃部材１３の使用時に、蓋部材３０を収容容器２９本体から剥がして清掃部材１３の他端部１３ｂを臨ませて、装着部１４内に装着する際に、収容容器２９の上部に容易に装着部１４が入り込み、同時に収容容器２９の下部で清掃部材１３を抑え付けて装着がスムーズに進行できるようにしている。
【００７１】
上記の実施形態の清掃具においては、柄部１２、装着部１４、把持部１５、外し部１７、操作部１８、動作伝達部材１９等の主要な構造体は、何れもＡＢＳ、ポリプエチレン等の各種樹脂を適宜に選定して、射出成形によって型形成したものである。もちろん、必要に応じて各部を金属製とすることができる。
【００７２】
次に、上記した実施形態の柄付き清掃具１１を水洗トイレ内の便器の清掃に用いたときの手順およびその作用を図９および図１０によって説明する。
【００７３】
図９の（ａ）に示すように、まず、実施形態の柄付き清掃具１１は、入手した状態のときは柄部１２が先端側１２Ｆと後端側１２Ｒに分割されているので、この柄部１２を接続部１６を介して接続して、一体のものとする。その場合、柄部１２の先端側１２Ｆと把持部１５を持って、先端側１２Ｆの接続端部の接続部分を後端側１２Ｒの接続端部内に差し込む。この際に、前記図２に示した接続部分の突起２１が溝２３を兼用する挿通孔２７に嵌り込んで「パチリ」と音がすれば、接続が確実にできている。
【００７４】
すなわち、音がすることにより接続が確実か否可を判断でき、接続作業が容易である。
【００７５】
次いで、図９（ｂ）に示すように、それぞれ１つの清掃部材１３の入った複数の収容容器２９のうちの１つの蓋部材３０を剥がして上部の開放側を開口する。
【００７６】
次いで、図９（ｃ）に示すように、清掃部材１３の他端部１３ｂに清掃部の装着部１４の開口を合わせて開口内に清掃部材１３を差し込ませて、押し込み、装着部１４に清掃部材１３を装着する。
【００７７】
次いで、図９（ｄ）に示すように、使用者は柄付き清掃具１１の把持部１５を持って、清掃部材１３をトイレ便器などの清掃対象箇所３１に押し当てて擦るなどし、清掃を適宜に行なう。
【００７８】
この場合、清掃部材１３には洗剤を含浸させているため、別途に洗剤を便器に付ける必要は無い。また、図８に詳細に示すように、清掃部材１３は押し当て力と水が染み込むことにより先端がブラシ状に広がる。
【００７９】
次いで、図１０（ａ）に示すように、清掃後には、操作部１８を先方に向けて移動操作することにより動作伝達部材１９を介して外し部１７が作動し、装着部１４内の清掃部材１３を押し出して、便器内に使用後で汚れた清掃部材１３を落とし込むことができる。
【００８０】
次いで、図１０（ｂ）に示すように、水タンク３２のスイッチレバー等を操作して便器内に水を流して、清掃部材１３を流水３３で排出する。
【００８１】
最後には、図１０（ｃ）に示すように、使用後の柄付き清掃具１１は、トイレ内で保管するため例えば水洗用水を貯める水タンク３２に適宜に設けたフック３４に把持部１５後端の孔２０を引っ掛けてぶら下げて保管する。これにより、柄付き清掃具１１は、清掃部材１３の外れた状態で保管できるため、衛生的である。
【００８２】
上述のように本考案の柄付き清掃具の実施形態によれば、柄部１２の先端側１２Ｆに装着部１４内で進退動することによって装着部１４に装着された清掃部材１３を装着部１４から外す外し部１７を設け、この柄部１２の後端側１２Ｒに使用者の操作によって把持部１５の軸方向に沿って動作する操作部１８を設け、前記操作部１８の動作を外し部１７に伝達する動作伝達部材１９を柄部１２内に設けているので、清掃部材１３の装着部１４からの取り外しが操作部１８の操作によって、使用後の清掃部材１３を手で触ることなく簡単に行うことができる。しかも、柄部１２の後端側１２Ｒの操作部１８を操作することによって長い柄部１２であっても片手かつ容易に装着部１４から清掃部材１３を取外すことができる。
【００８３】
また、柄部１２は先端側１２Ｆと後端側１２Ｒが接続部１６を介して結合・分離可能であり、動作伝達部材１９は、前記接続部１６を介して柄部１２が先端側１２Ｆと後端側１２Ｒに分離したときに、先端側１２Ｆと後端側１２Ｒに分離するものであるので、柄部１２が長くても流通過程および家庭内では、先端側１２Ｆと後端側１２Ｒに分離して取り扱いおよび収納ができ、流通や持ち運び、さらには保管容易な柄付き清掃具１１を提供できる等の優れた効果を奏する。
【００８４】
また、実施形態において、柄部１２は、先端側１２Ｆ部分で曲げられており、装着部１４の軸方向と把持部１５の軸方向との間に角度がつけられていることができ、これにより、対象物の奥まったところ等なかなか清掃部材１３のとどきにくい箇所で容易に清掃できる。
【００８５】
また、実施形態において、操作部１８は、把持部１５の前側に設けられ、かつこの操作部１８の最大外径の部分が把持部１５の最大外径の部分よりもその径方向に大きいものであって、使用者が把持部１５を把持した状態で指が前記操作部１８の最大外径部分に掛かって操作可能になっていることができ、これにより、使用者は把持部１５を持っている状態で把持部１５の最大径の部分よりも最大径の部分がその径方向に大きい操作部１８に容易に指が掛かり易く、操作が極めて容易であり操作性が高い。
【００８６】
また、実施形態において、柄部１２は、先端側１２Ｆの接続端部と後端側１２Ｒの接続端部とからなる接続部１６によって接続されるものであり、この柄部１２の先端側１２Ｆおよび後端側１２Ｒのうちの一方の接続端部から径方向外側に突出する突起２１のある接続部分が柄部１２の軸方向に沿って延びると共に、この柄部１２の先端側１２Ｆおよび後端側１２Ｒのうちの他方の接続端部の内側に前記突起２１に対応した溝２３が形成されており、一方の接続端部が他方の接続端部内に嵌入し、前記溝２３に前記突起２１が嵌着することによって、接続部１６の各接続端部１６Ｆ、１６Ｒ同士が接続することができ、これにより、突起２１が溝２３に嵌着して緊密に各接続端部１６Ｆ、１６Ｒ同士が接続できる。
【００８７】
また、実施形態において、操作部１８の内側には、その操作部１８を前記動作伝達部材１９に繋げる連結部材２６が設けられ、中空棒状の柄部１２の後端側１２Ｒにこの連結部材２６を通す長穴形状を呈する挿通孔２７が外周面から内周面に渡って貫通して形成されており、この挿通孔２７を前記他方の接続端部の溝２３に兼用することができる。これによって、溝２３を挿通孔２７に兼用でき、製作工程が容易になる。
【００８８】
また、実施形態において、装着部１４はその先端側の開放した中空の筒状を呈し、清掃部材１３は概略柱状を呈して装着部１４の先端側から内部に嵌入可能に形成されていることができる。これにより、概略柱状の清掃部材１３は装着部１４に差し込みやすく、取り扱いが容易である。
【００８９】
また、実施形態において、動作伝達部材１９は、装着部１４もしくはその近傍内部に設けられた弾性部材２８により後方方向に付勢されていることができる。これにより、使用者が操作部１８を押し操作しているときに後方に向けて操作部１８には弾性部材２８によって付勢力が加わるため、押し操作のあとは自動的に操作部１８が戻り、使いやすく、便利である。
【００９０】
また、実施形態において、清掃部材１３は、一端部１３ａが紐状体の束ねられた形状を呈しかつ他端部１３ｂが柱状を呈すると共に、この他端部１３ｂ側から装着部１４内に挿入して一端部１３ａを装着部１４先方外部に露出するものであり、装着部１４に装着された清掃部材１３が使用時に一端部１３ａの複数の紐状体同士が離れてブラシ状を呈することができ、これにより、清掃時にブラシ状になった清掃部材１３によって広範にかつ効率良く対象物の汚れを落とすことができる。
【００９１】
また、実施形態において、未使用の清掃部材１３を収容する収容容器２９は、一端が開放する筒状を呈しかつその開放側を清掃部材１３の未使用時には蓋部材３０で閉じた容器であって、清掃部材１３の他端部１３ｂを収容容器２９の開放側に向けて収容するものであることができる。これによって、清掃部材１３の収容された未使用の収容容器２９の蓋部材３０を開け、その収容容器２９内に入ったままの清掃部材１３を装着部１４の開放された先端側から装着部１４内部に挿入して嵌入させることができる。したがって、使用者は、清掃部材１３に手を触れることなく、装着部１４に簡単かつ清潔に清掃部材１３を装着することができる。また、清掃部材１３は、清掃用の洗剤、清浄剤、若しくは薬剤を含浸させたものを使用しても手を触れることなく柄付き清掃具１１の装着部１４に装着することができ、極めて使い勝手がよい。
【産業上の利用可能性】
【００９２】
本考案の柄付き清掃具は、トイレの便器清掃の他、居住室内の狭い箇所、各種電気器具の狭い箇所の清掃に用いるのに好適である。
【図面の簡単な説明】
【００９３】
【図１】本考案に係る柄付き清掃具の実施形態の側面視した全体構成を説明する全体説明図である。
【図２】実施形態に係る柄付き清掃具の分離した状態を示す説明図である。
【図３】同柄付き清掃具に装着して清掃に用いる清掃部材の側面視した説明図である。
【図４】同柄付き清掃具先端側の装着部をその開口側から見た説明図である。
【図５】同柄付き清掃具の装着部に清掃部材を装着した状態の説明図である。
【図６】同柄付き清掃具の要部断面図であって、（ａ）は装着部の断面説明図、（ｂ）は操作部の断面説明図である。
【図７】同柄付き清掃具に装着して用いる清掃部材を収容する収容容器の説明図であって、（ａ）は蓋部材を閉めた状態の説明外観図、（ｂ）は蓋部材を開けた状態の断面を含む説明図である。
【図８】同柄付き清掃具の清掃状態説明図である。
【図９】（ａ）から（ｄ）は同柄付き清掃具の組み立てから清掃にいたる手順の説明図である。
【図１０】（ａ）から（ｃ）は同柄付き清掃具の組み立てから片付けて保管する状態の説明図である。
【図１１】従来の清掃具の説明図である。
【符号の説明】
【００９４】
１１  清掃具
１２  柄部
１２Ｆ  柄部の先端側
１２Ｒ  柄部の後端側
１２Ｆ１  柄部の曲がり部
１３  清掃部材
１３ａ  清掃部材の一端部
１３ｂ  清掃部材の他端部
１４  装着部
１４ａ、１４ｂ  装着部の各突起部
１５  把持部
１６  接続部
１６Ｆ  前端側の接続端部
１６Ｒ  後端側の接続端部
１７  外し部
１８  操作部
１８Ｆ  操作部の前部
１８Ｒ  操作部の後部
１９  動作伝達部材
１９Ｆ  前端側の動作伝達部材
１９Ｒ  後端側の動作伝達部材
１９ａ  掛け止め部
２０  孔
２１  突起
２２  接続部分
２２ａ  切欠き
２２ｂ  板状片部
２３  溝
２４  突出部
２５  切欠き部
２６  連結部材
２７  挿通孔
２８  弾性部材
２９  収容容器
３０  蓋部材
３１  清掃対象箇所
３２  水タンク
３３  流水
３４  フック
【図３】
0003105217.tif 000003
【図１】
0003105217.tif 000004
【図２】
0003105217.tif 000005
【図４】
0003105217.tif 000006
【図５】
0003105217.tif 000007
【図６】
0003105217.tif 000008
【図７】
0003105217.tif 000009
【図８】
0003105217.tif 000010
【図９】
0003105217.tif 000011
【図１０】
0003105217.tif 000012
【図１１】
0003105217.tif 000013